(57)【要約】【課題】表示パネル等の表示によらずに装置の状態を報知することのできる画像処理装置、画像処理装置の状態報知プログラムおよび状態報知方法を提供する。【解決手段】画像形成装置の状態を検出する検出手段（エラー検出センサＳ）と、記録媒体を排出させる排出手段（用紙送り機構部４００）と、検出手段により検出された状態に対応させた停止位置で前記記録媒体を保持するように排出手段を制御する制御手段（制御系Ｃ）とを備えるようにした。【選択図】図３
2008183795.tif 000002
【特許請求の範囲】
【請求項１】
画像形成装置の状態を検出する検出手段と、
記録媒体を排出する排出手段と、
前記検出手段により検出された状態に対応させた停止位置で前記記録媒体を保持するように前記排出手段を制御する制御手段と、
を備えることを特徴とする画像形成装置。
【請求項２】
前記停止位置は、前記排出手段の排出方向下流側に設けられることを特徴とする請求項１に記載の画像形成装置。
【請求項３】
前記停止位置で停止された前記記録媒体の先端部の位置に対応させて、前記状態を示す指標が設けられることを特徴とする請求項１または請求項２の何れかに記載の画像形成装置。
【請求項４】
前記検出手段で検出された状態を記憶する記憶手段をさらに備えることを特徴とする請求項１から請求項３の何れかに記載の画像形成装置。
【請求項５】
前記検出手段で検出された状態に関する情報を表示する表示手段をさらに備え、
前記制御手段は、前記記録媒体が前記停止位置に停止された後は、前記表示手段による表示を行わないように制御する
ことを特徴とする請求項１から請求項４の何れかに記載の画像形成装置。
【請求項６】
前記記録媒体が前記停止位置における保持状態から除去されたことを検出する検出手段をさらに備え、
前記制御手段は、前記検出手段により前記記録媒体の除去が検出された場合に、前記記憶手段から状態に関する情報を読み出し、前記表示手段による当該状態に関する情報の表示を再開する
ことを特徴とする請求項５に記載の画像形成装置。
【請求項７】
前記検出手段は、前記記録媒体の存在の有無を検知する検出手段で構成されることを特徴とする請求項６に記載の画像形成装置。
【請求項８】
前記検出手段は、前記排出手段から前記記録媒体が引き出された際の状態変化を検出する検出手段で構成されることを特徴とする請求項６に記載の画像形成装置。
【請求項９】
前記記録媒体に対して可視剤を加熱して定着させる定着手段をさらに備え、
前記停止位置は、前記記録媒体の何れの部位も前記定着手段に静止しない位置に選定されることを特徴とする請求項１から請求項８の何れかに記載の画像形成装置。
【請求項１０】
前記制御手段は、
前記記録媒体の何れの部位も前記定着手段に静止しない位置に当該記録媒体を停止させるように制御することを特徴とする請求項９に記載の画像形成装置。
【請求項１１】
画像形成装置の状態を検出する検出過程と、
前記記録媒体を排出させる排出過程と、
前記検出過程により検出された状態に対応させた停止位置で前記記録媒体を停止状態で保持する停止過程と、
を演算手段に実行させることを特徴とする画像処理装置の状態報知プログラム。
【請求項１２】
前記検出過程で検出された状態を記憶する記憶過程をさらに有することを特徴とする請求項１１に記載の画像処理装置の状態報知プログラム。
【請求項１３】
前記検出過程で検出された状態に関する情報を表示する表示過程と、
前記記録媒体が前記停止位置に停止された後は、前記表示過程による表示を行わないように制御する表示停止過程と、
をさらに有することを特徴とする請求項１２に記載の画像処理装置の状態報知プログラム。
【請求項１４】
前記記録媒体が前記停止位置における保持状態から除去されたことを検出する検出過程をさらに備え、
該検出過程で前記記録媒体の除去が検出された場合に、前記記憶過程で記憶された状態に関する情報を読み出し、当該状態に関する情報の表示を再開する表示再開過程と、
をさらに有することを特徴とする請求項１３に記載の画像処理装置の状態報知プログラム。
【請求項１５】
画像形成装置の状態を検出する検出過程と、
記録媒体を排出させる排出過程と、
前記検出過程により検出された状態に対応させた停止位置で前記記録媒体を停止状態で保持する停止過程と、
を有することを特徴とする画像処理装置の状態報知方法。
【請求項１６】
前記検出過程で検出された状態を記憶する記憶過程をさらに有することを特徴とする請求項１５に記載の画像処理装置の状態報知方法。
【請求項１７】
前記検出過程で検出された状態に関する情報を表示する表示過程と、
前記記録媒体が前記停止位置に停止された後は、前記表示過程による表示を行わないように制御する表示停止過程と、
をさらに有することを特徴とする請求項１６に記載の画像処理装置の状態報知方法。
【請求項１８】
前記記録媒体が前記停止位置における保持状態から除去されたことを検出する検出過程をさらに備え、
該検出過程で前記記録媒体の除去が検出された場合に、前記記憶過程で記憶された状態に関する情報を読み出し、当該状態に関する情報の表示を再開する表示再開過程と、
をさらに有することを特徴とする請求項１７に記載の画像処理装置の状態報知方法。
【発明の詳細な説明】
【技術分野】
【０００１】
本発明は、画像処理装置、画像処理装置の状態報知プログラムおよび状態報知方法に関するものである。
【背景技術】
【０００２】
近年、画像形成装置の一種である印刷装置等において、ユーザインターフェースであるオペレーションパネル（表示パネル）に、大画面の液晶表示器などを用いて視認性と操作性の向上を図るものが増えてきた。
【０００３】
これらの表示パネルは大画面の表示自体の消費電力の増加のほかに、可視性を向上させるために用いられるバックライトの消費電力も加わり、総消費電力もかなり大きくなる傾向にある。
【０００４】
ところで、昨今は環境問題に配慮して電気機器の省電力が重視され、画像形成装置（印刷装置等）についても節電の必要性が高まっている。特に、バッテリー駆動のモバイル型の印刷装置も開発されており、省電力性能の一層の向上が望まれている。
【０００５】
このような事情に伴い、印刷装置や複写機などの画像形成装置においては、正常動作時に一定時間にわたって印刷情報（印刷ジョブ）が来ない場合には、節電状態になる機能を備えるのが一般的になってきている。
【０００６】
しかし、印刷装置等に用紙切れやトナー切れ等のエラー状態が発生した場合には、エラー発生後に一定時間経過しても節電状態にならずに電力が供給され続けるものが多い。
【０００７】
そこで、特開２００２−２２２０３２号公報等には、電源供給が不必要であるような状況が発生した場合に、表示パネルにエラー表示をするとともに、一度電源をオフにしなければ復旧しないエラーであると判断した場合には、表示パネルへのエラー表示以外の箇所の電源をオフにするという技術が提案されている。
【特許文献１】特開２００２−２２２０３２号公報
【発明の開示】
【発明が解決しようとする課題】
【０００８】
本発明は、表示パネル等の表示によらずに装置の状態を報知することのできる画像処理装置、画像処理装置の状態報知プログラムおよび状態報知方法を提供することを目的とする。
【課題を解決するための手段】
【０００９】
前記課題を解決するため、請求項１の発明に係る画像形成装置は、画像形成装置の状態を検出する検出手段と、記録媒体を排出する排出手段と、前記検出手段により検出された状態に対応させた停止位置で前記記録媒体を保持するように前記排出手段を制御する制御手段とを備えることを特徴とする。
【００１０】
また、請求項２の発明に係る画像形成装置は、前記停止位置は、前記排出手段の排出方向下流側に設けられることを特徴とする。
【００１１】
また、請求項３の発明に係る画像形成装置は、前記停止位置で停止された前記記録媒体の先端部の位置に対応させて、前記状態を示す指標が設けられることを特徴とする。
【００１２】
また、請求項４の発明に係る画像形成装置は、前記検出手段で検出された状態を記憶する記憶手段をさらに備えることを特徴とする。
【００１３】
また、請求項５の発明に係る画像形成装置は、前記検出手段で検出された状態に関する情報を表示する表示手段をさらに備え、前記制御手段は、前記記録媒体が前記停止位置に停止された後は、前記表示手段による表示を行わないように制御することを特徴とする。
【００１４】
また、請求項６の発明に係る画像形成装置は、前記記録媒体が前記停止位置における保持状態から除去されたことを検出する検出手段をさらに備え、前記制御手段は、前記検出手段により前記記録媒体の除去が検出された場合に、前記記憶手段から状態に関する情報を読み出し、前記表示手段による当該状態に関する情報の表示を再開することを特徴とする。
【００１５】
また、請求項７の発明に係る画像形成装置は、前記検出手段は、前記記録媒体の存在の有無を検知する検出手段で構成されることを特徴とする。
【００１６】
また、請求項８の発明に係る画像形成装置は、前記検出手段は、前記排出手段から前記記録媒体が引き出された際の状態変化を検出する検出手段で構成されることを特徴とする。
【００１７】
また、請求項９の発明に係る画像形成装置は、前記記録媒体に対して可視剤を加熱して定着させる定着手段をさらに備え、前記停止位置は、前記記録媒体の何れの部位も前記定着手段に静止しない位置に選定されることを特徴とする。
【００１８】
また、請求項１０の発明に係る画像形成装置は、前記制御手段は、前記記録媒体の何れの部位も前記定着手段に静止しない位置に当該記録媒体を停止させるように制御することを特徴とする。
【００１９】
また、請求項１１の発明に係る画像処理装置の状態報知プログラムは、画像形成装置の状態を検出する検出過程と、記録媒体を排出させる排出過程と、前記検出過程により検出された状態に対応させた１または２以上の停止位置の何れかで前記記録媒体を停止状態で保持する停止過程とを演算手段に実行させることを特徴とする。
【００２０】
また、請求項１２の発明に係る画像処理装置の状態報知プログラムは、前記検出過程で検出された状態を記憶する記憶過程をさらに有することを特徴とする。
【００２１】
また、請求項１３の発明に係る画像処理装置の状態報知プログラムは、前記検出過程で検出された状態に関する情報を表示する表示過程と、前記記録媒体が前記停止位置に停止された後は、前記表示過程による表示を行わないように制御する表示停止過程とをさらに有することを特徴とする。
【００２２】
また、請求項１４の発明に係る画像処理装置の状態報知プログラムは、前記記録媒体が前記停止位置における保持状態から除去されたことを検出する検出過程をさらに備え、該検出過程で前記記録媒体の除去が検出された場合に、前記記憶過程で記憶された状態に関する情報を読み出し、当該状態に関する情報の表示を再開する表示再開過程とをさらに有することを特徴とする。
【００２３】
また、請求項１５の発明に係る画像処理装置の状態報知方法は、画像形成装置の状態を検出する検出過程と、記録媒体を排出させる排出過程と、前記検出過程により検出された状態に対応させた１または２以上の停止位置の何れかで前記記録媒体を停止状態で保持する停止過程とを有することを特徴とする。
【００２４】
また、請求項１６の発明に係る画像処理装置の状態報知方法は、前記検出過程で検出された状態を記憶する記憶過程をさらに有することを特徴とする。
【００２５】
また、請求項１７の発明に係る画像処理装置の状態報知方法は、前記検出過程で検出された状態に関する情報を表示する表示過程と、前記記録媒体が前記停止位置に停止された後に、前記表示過程による表示を行わないように制御する表示停止過程とをさらに有することを特徴とする。
【００２６】
また、請求項１８の発明に係る画像処理装置の状態報知方法は、前記記録媒体が前記停止位置における保持状態から除去されたことを検出する検出過程をさらに備え、該検出過程で前記記録媒体の除去が検出された場合に、前記記憶過程で記憶された状態に関する情報を読み出し、当該状態に関する情報の表示を再開する表示再開過程とをさらに有することを特徴とする。
【発明の効果】
【００２７】
本発明によれば以下の効果を奏することができる。
【００２８】
すなわち、請求項１に記載の発明によれば、本構成を有していない場合に比較して、表示パネルの表示やＬＥＤの点灯等によらずに装置の状態を報知することができるという優れた効果がある。
【００２９】
また、請求項２に記載の発明によれば、本構成を有していない場合に比較して、状態を確実に報知することができる。
【００３０】
また、請求項３に記載の発明によれば、本構成を有していない場合に比較して、状態の種別を報知することができる。
【００３１】
また、請求項４に記載の発明によれば、本構成を有していない場合に比較して、状態の内容を保持することができる。
【００３２】
また、請求項５に記載の発明によれば、本構成を有していない場合に比較して、状態の種別を報知することができる。
【００３３】
また、請求項６に記載の発明によれば、本構成を有していない場合に比較して、状態の内容をより確実に報知することができる。
【００３４】
また、請求項７に記載の発明によれば、本構成を有していない場合に比較して、記録媒体の除去を確実に検出することができる。
【００３５】
また、請求項８に記載の発明によれば、本構成を有していない場合に比較して、記録媒体の除去を確実に検出することができる。
【００３６】
また、請求項９に記載の発明によれば、本構成を有していない場合に比較して、記録媒体が定着手段で無用に加熱される事態を回避することができる。
【００３７】
また、請求項１０に記載の発明によれば、本構成を有していない場合に比較して、記録媒体が定着手段で無用に加熱される事態を回避することができる。
【００３８】
また、請求項１１に記載の発明によれば、本構成を有していない場合に比較して、表示パネルの表示やＬＥＤの点灯等によらずに状態を報知することができるという優れた効果がある。
【００３９】
また、請求項１２に記載の発明によれば、本構成を有していない場合に比較して、状態の内容を保持することができる。
【００４０】
また、請求項１３に記載の発明によれば、本構成を有していない場合に比較して、状態の種別を報知することができる。
【００４１】
また、請求項１４に記載の発明によれば、本構成を有していない場合に比較して、状態の内容をより確実に報知することができる。
【００４２】
また、請求項１５に記載の発明によれば、本構成を有していない場合に比較して、表示パネルの表示やＬＥＤの点灯等によらずに状態を報知することができるという優れた効果がある。
【００４３】
また、請求項１６に記載の発明によれば、本構成を有していない場合に比較して、状態の内容を保持することができる。
【００４４】
また、請求項１７に記載の発明によれば、本構成を有していない場合に比較して、状態の種別を報知することができる。
【００４５】
また、請求項１８に記載の発明によれば、本構成を有していない場合に比較して、状態の内容をより確実に報知することができる。
【発明を実施するための最良の形態】
【００４６】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００４７】
図１は本発明の実施の形態に係る画像形成装置としての印刷装置の外観を示す斜視図、図２は本実施の形態の係る印刷装置の要部を示す斜視図、図３は本実施の形態に係る印刷装置の構成を示すブロック図、本実施の形態に係る印刷装置の制御系で実行されるエラー報知処理の処理手順を示すフローチャートである。
【００４８】
まず、図１および図２を参照して、画像形成装置の１種として例示する印刷装置１０１の構成の概略について説明する。
【００４９】
特には限定されないが、印刷装置１０１としては、例えばレーザプリンタ、フルカラープリンタ、インクジェットプリンタ等が想定される。
【００５０】
印刷装置１０１の筐体１０１ａにおいて、前面側の上部にはエラー内容等を表示する表示パネル（オペレーションパネル：表示手段）１０２と操作ボタン１０２ａが設けられている。
【００５１】
また、筐体１０１ａの上面側には、記録媒体としての印刷用紙（印刷処理済みのもの）Ｐ１，Ｐ２の排出口１０４が設けられており、この排出口１０４の上方には用紙排出が完了したか否かを検出するフォトセンサ等で構成される用紙排出センサ（検出手段）１０３が配設されている。
【００５２】
また、排出口１０４の前方には、排出された印刷用紙Ｐ１，Ｐ２の用紙受部１０５が設けられている。
【００５３】
ここで、図１（ａ）は、印刷装置１０１にエラーが発生せずに、正常に印刷処理済みの印刷用紙Ｐ１が完全に排出された状態を示している。
【００５４】
一方、図１（ｂ）は、印刷装置１０１に紙送りの不具合以外のエラーが発生し、そのエラー発生を報知するように印刷用紙Ｐ２が排出口１０４からの排出の途中で停止された状態を示している。これにより、表示パネル１０２の表示によらずにエラーの発生状態を使用者に報知することができる。したがって、エラーの発生状態を示す所定の位置で印刷用紙Ｐ２を停止させた後に、表示パネル１０２をオフ状態にすることにより、省電力でエラーの発生状態を報知することができる。
【００５５】
ここで、紙送りの不具合以外のエラーとは、例えば、トナー切れやインク切れを起こした場合、
印刷途中で用紙切れを起こした場合、用紙サイズが１種類しか装填できない印刷機器において最後のページの印刷で用紙を使い切って用紙切れになった場合および前記以外の原因で印刷動作を継続できなくなった場合などが挙げられる。また、紙送りの不具合以外のエラーは、エラー発生原因をリカバリしないと印刷ジョブを送っても印刷動作を行えないエラー状態の全般を含む。
【００５６】
前記以外の原因で印刷動作を継続できなくなった場合としては、例えば、レーザーを使用する電子写真印刷装置の場合に、レーザーの方向を変えるポリゴンミラーの動作に何らかの不具合が生じた場合や、符号変換の処理等にエラーを生じる場合（文字化けを生じるようなエラー）などが考えられる。
【００５７】
なお、報知可能なエラーから「紙送りの不具合に関するエラー」が除かれているのは、例えば用紙ジャムのよるエラー等を生じた場合には、印刷用紙自体が搬送路の途中で止まってしまうため、結局、印刷用紙の排出状態によるエラー発生報知を行うことができないためである。
【００５８】
また、図示は省略するが、図１（ｂ）の状態において、印刷用紙Ｐ２の後端部を含む全体が、筐体１０１内に設けられるトナーの定着装置（定着手段）から離間された状態で保持される。これにより、印刷用紙Ｐ２が定着手段で無用に加熱される事態を回避することができる。
【００５９】
また、図２に示すように、用紙受部１０５の表面に、エラーの種別または内容を示す指標（本実施の形態では印刷用紙の前端部に沿った線状の指標（マーキング））Ｅ１〜Ｅ４が設けられている。この指標Ｅ１〜Ｅ４は、特には限定されないが、用紙受部１０５上への印刷あるいは線状の溝の形成等により設けられる。
【００６０】
それぞれの指標Ｅ１〜Ｅ４は、例えば、Ｅ１：トナー切れ、Ｅ２：印刷途中で用紙切れ、Ｅ３：その他の軽度のエラー、Ｅ４：その他の重度のエラーなどのエラー発生原因等に対応するようになされる。
【００６１】
なお、指標Ｅ１〜Ｅ４の何れの位置に停止する場合にも、前述のように印刷用紙Ｐ２の後端部を含む全体がトナーの定着装置から離間された状態で保持されるようになされている。これにより、印刷用紙Ｐ２が定着手段で無用に加熱される事態を確実に回避することができる。
【００６２】
また、印刷用紙Ｐ２を指標Ｅ１〜Ｅ４の何れかで停止させる制御は、例えば、印刷用紙の排出手段（後述する用紙送り機構部４００）が備えるモータ等の回転数を制御したり、あるいは用紙受部１０５上にフォトセンサ等を並設し、そのセンサで印刷用紙Ｐ２の移動状況を検出することなどによって実現することができる。
【００６３】
また、印刷用紙Ｐ２の前端部が指標Ｅ１〜Ｅ４の何れかの位置に停止した後に、表示パネル１０２を含む印刷装置１０１の各部位の電力を遮断するいわゆる省電力モードに移行させることができる。これにより、従来のようにエラー表示のために表示パネル１０２（バックライトを含む）をオン状態にして電力を消費し続けることなく、印刷用紙Ｐ２を指標Ｅ１〜Ｅ４の何れかの位置を指し示す静止状態に置くだけでエラーの種別や内容（簡易的な内容）を報知することができる。
【００６４】
そして、印刷用紙Ｐ２の静止位置により印刷装置１０１に何らかのエラーが発生したことを報知された使用者は、印刷用紙Ｐ２の前端部が指し示す指標Ｅ１〜Ｅ４に基づいてエラーの種別や内容を知ることができる。したがって、使用者は例えば指標が「トナー切れ状態」を示すＥ１である場合にはトナーを補充することにより印刷装置１０１を再び正常に印刷を行える状態にすることができる。また、例えば、指標が「重度のエラーの発生状態」を示すＥ４である場合には、メンテナンス業者へ通知するなど適切な措置をとることができる。
【００６５】
なお、特には限定されないが、印刷用紙Ｐ２が静止状態から引き抜かれる状態（除去される状態）を検出し、その検出結果に基づいて、エラー発生時に記憶しておいたエラーの種別や内容を記憶装置（例えば制御系を構成するマイクロコンピュータの記憶部）から読み出し、表示パネル１０２を再度オンさせてそのエラーの種別や内容を表示させるようにできる。この場合に、前記指標Ｅ１〜Ｅ４で示すのと同等の表示内容とすることもできるが、より詳しいエラー状態の説明や対処方法等を表示するようにしてもよい。
【００６６】
印刷用紙Ｐ２が引き抜かれる状態を検出する方法は特に限定されないが、例えば用紙排出センサ１０３により印刷用紙Ｐ２の後端部の通過を検知して除去状態を検出してもよいし、あるいは印刷用紙Ｐ２が引き抜かれる際に排出手段のモータが回転されたときの起電力で生じる電流を検出して除去状態を検出するようにしてもよい。
【００６７】
次に、図３のブロック図を参照して、印刷装置１０１の制御系の構成について説明する。
【００６８】
図３において、点線で囲まれた部位で示される印刷装置１０１の制御系Ｃは、例えばマイクロコンピュータ等で構成され、表示パネル１０２等への電源供給を制御する電源制御部３０１と、エラー検出センサ（検出手段）Ｓからの情報に基づいてエラー発生原因を判断するエラー発生原因判断部（検出手段）３０２と、エラー発生の原因を記憶するエラー発生原因記憶部（記憶手段）３０３と、表示パネル１０２における表示内容やオン・オフ等を制御する表示パネル制御部３０４と、排出手段としての用紙送り機構部４００の駆動を制御する用紙送り制御部３０５とを備えている。
【００６９】
なお、エラー検出センサＳは、特には限定されないが、例えばトナー切れを検出するトナーセンサや、用紙切れを検出するフォトセンサ等で構成される。また、エラーの発生の検出は、物理的なセンサによる検出に限らず、ソフトウェアによるデータ等の解析により例えば符号変換のエラー等を検出するようにしてもよい。
【００７０】
次に、図４のフローチャートを参照して、上記構成の制御系Ｃ（演算手段）によって実行されるエラー報知処理の処理手順について説明する。
【００７１】
この処理が開始されると、まずステップＳ４０１でエラーは発生したか否かが判定される。具体的には、エラー検出センサＳあるいは所定のソフトウェアからのエラー検出情報に基づいて、印刷装置１０１の何れかの部位でエラーが発生したか否かが判定される。そして、判定結果が「Ｎｏ」の場合には同様の処理を繰り返して待機し、判定結果が「Ｙｅｓ」の場合にはステップＳ４０２に移行する。
【００７２】
ステップＳ４０２では、エラー発生原因判断部３０２でエラー発生原因を判断する。具体的には、エラー検出情報に基づいて、例えばトナー切れ、用紙切れ等のエラー発生の原因を判断してステップＳ４０３に移行する。
【００７３】
ステップＳ４０３では、エラー発生原因記憶部３０３でエラー発生原因を記憶してステップＳ４０４に移行する。
【００７４】
ステップＳ４０４では、用紙送り制御部３０５の制御によりエラー発生原因に対応する位置（指標Ｅ１〜Ｅ４の何れかに対応する位置）で印刷用紙Ｐ２を停止させる。これにより、印刷用紙Ｐ２の停止位置（印刷用紙Ｐ２の先端部で指し示す指標Ｅ１〜Ｅ４（図２参照））によって発生したエラーの種別や内容を報知することができる。
【００７５】
次いで、ステップＳ４０５に移行して、表示パネル制御部３０４の制御により表示パネル１０２の電源をオフ状態にする。これにより、ステップＳ４０４による印刷用紙Ｐ２の停止位置によるエラー報知を維持したまま、省電力状態に移行することができ、ひいては省エネルギーに貢献することができる。
【００７６】
次いで、ステップＳ４０６に移行して、静止状態の印刷用紙Ｐ２が引き抜かれたか否かが判定される。具体的には、前述したように用紙排出センサ１０３により印刷用紙Ｐ２の後端部の通過の検出結果や、印刷用紙Ｐ２が引き抜かれる際に用紙送り機構部４００（排出手段）のモータが回転されたときの起電力で生じる電流の検出結果等に基づいて判定される。
【００７７】
そして、判定結果が「Ｎｏ」の場合にはそのまま待機し、判定結果が「Ｙｅｓ」の場合にはステップＳ４０７に移行する。
【００７８】
ステップＳ４０７では、ステップＳ４０３でエラー発生原因記憶部３０３に記憶したエラー発生原因を読み出し、表示パネル１０２をオンにして、そのエラー発生原因を表示して処理を終了する。これにより、使用者は表示パネル１０２によるエラーメッセージ等の表示により、さらに詳細なエラー発生原因（種別や内容）や対処方法を知ることができる。
【００７９】
以上述べたように本実施の形態に係る印刷装置１０１によれば、表示パネル１０２をオフにした省電力状態で、用紙ジャムエラー以外のエラー発生原因をリカバリしないと印刷ジョブを送っても印刷動作を行えないエラーの発生状態であることを、印刷用紙Ｐ２の停止位置により使用者に報知することができる。
【００８０】
また、印刷用紙Ｐ２の前端部が指し示す指標Ｅ１〜Ｅ４によって、発生したエラーの種別や内容を示すことができる。
【００８１】
また、静止状態にある印刷用紙Ｐ２を引き抜くという簡単な操作により、表示パネル１０２によるエラー表示を復帰させてより詳細なエラー発生原因を確認することができ、使用者の利便性を向上させることができる。
【００８２】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８３】
例えば、上記実施の形態では、報知する印刷装置の状態として「エラーの発生状態」を例にして述べたが、これに限らず、例えば印刷装置が「省電力に移行した状態」などを報知するようにしてもよい。
【００８４】
なお、本発明に係る画像形成装置および状態報知方法で、プログラム（状態報知プログラム）を用いる場合には、ネットワークを介して提供したり、或いはＣＤ−ＲＯＭ等の記録媒体に格納して提供することが可能である。
【産業上の利用可能性】
【００８５】
本発明による画像処理装置、画像処理装置の状態報知プログラムおよび状態報知方法は、レーザプリンタ、フルカラープリンタ、インクジェットプリンタ、ファックス等に適用することができる。
【図面の簡単な説明】
【００８６】
【図１】本発明の実施の形態に係る印刷装置の外観を示す斜視図である。
【図２】本実施の形態に係る印刷装置の要部を示す斜視図である。
【図３】本実施の形態に係る印刷装置の構成を示すブロック図である。
【図４】本実施の形態に係る印刷装置の制御系で実行されるエラー報知処理の処理手順を示すフローチャートである。
【符号の説明】
【００８７】
１０１  印刷装置（画像形成装置）
１０１ａ  筐体
１０２  表示パネル（表示手段）
１０２ａ  操作ボタン
１０３  用紙排出センサ（検出手段）
１０４  排出口
１０５  用紙受部
３０１  電源制御部
３０２  エラー発生原因判断部（検出手段）
３０３  エラー発生原因記憶部（記憶手段）
３０４  表示パネル制御部
３０５  制御部
４００  用紙送り機構部（排出手段）
Ｅ１〜Ｅ４  指標
Ｐ１，Ｐ２  印刷用紙（記録媒体）
Ｓ  エラー検出センサ（検出手段）
【図１】
2008183795.tif 000003
【図２】
2008183795.tif 000004
【図３】
2008183795.tif 000005
【図４】
2008183795.tif 000006